【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
放射性セシウムが吸着している固体物から前記放射性セシウムの強酸塩の水溶液または重水溶液を調整する放射性セシウム抽出装置と、
前記抽出装置で生成した前記放射性セシウムの強酸塩の水溶液を用いて、パラジウムまたはパラジウム合金、あるいは、パラジウム以外の水素吸蔵金属またはパラジウム合金以外の水素吸蔵合金を含む構造体の一表面に前記放射性セシウムを添加する放射性セシウム添加部と、
前記構造体に添加された前記放射性セシウムを他の安定元素に核種変換される核種変換部と、を備え、
前記放射性セシウム添加部が、
前記放射性セシウムの強酸塩の水溶液を収容する容器と、
前記構造体の前記一表面と対向して配置される陽極と、
前記構造体を陰極として、前記陽極と前記構造体の間に電圧を与える電圧発生部と、
を備え、
前記核種変換部が、
前記放射性セシウムが添加された前記構造体と、
前記構造体を両側から挟み込むようにして配置され、前記構造体により密封可能な閉空間をなす重水素高圧部及び重水素低圧部と、
前記重水素高圧部を、前記重水素低圧部に対して重水素の圧力が高い状態とする高圧化手段と、
前記重水素低圧部を、前記重水素高圧部に対して相対的に重水素の圧力が低い状態とする低圧化手段と、
を備え、
前記重水素が前記重水素高圧部から前記重水素低圧部に向かって前記構造体を透過することにより、前記構造体表面に添加された前記放射性セシウムが核種変換される放射性セシウム処理システム。
【請求項２】
放射性セシウムが吸着している固体物から前記放射性セシウムの強酸塩の水溶液または重水溶液を調整する放射性セシウム抽出装置と、
前記抽出装置で生成した前記放射性セシウムの強酸塩の重水溶液を用いて、パラジウムまたはパラジウム合金、あるいは、パラジウム以外の水素吸蔵金属またはパラジウム合金以外の水素吸蔵合金を含む構造体の一表面に前記放射性セシウムを添加する放射性セシウム添加部と、
前記抽出装置で生成した前記放射性セシウムの強酸塩の重水溶液を用いて、前記放射性セシウムを他の安定元素に変換する核種変換部とを備え、
前記放射性セシウム添加部が、
前記放射性セシウムの強酸塩の重水溶液を収容する容器と、
前記構造体の前記一表面と対向して配置される陽極と、
前記構造体を陰極として、前記陽極と前記構造体の間に電圧を与える電圧発生部と、
を備え、
前記核種変換部が、
前記放射性セシウムが添加された前記構造体と、
前記構造体を両側から挟み込むようにして配置され、前記構造体により隔離される重水素高濃度部及び重水素低濃度部と、
前記構造体の前記重水素高濃度部側の表面近傍で重水素の濃度が高い状態とする高濃度化手段と、
前記重水素低濃度部を、前記重水素高濃度部に対して前記重水素の濃度が低い状態とする低濃度化手段と、を備え、
前記高濃度化手段が、
電圧発生部と、
前記構造体の重水素高濃度部側の面と間隔をあけて対向配置される陽極と、
前記重水素高濃度部に前記放射性セシウムの強酸塩の重水溶液を供給する電解溶液供給部と、を有し、
前記構造体を陰極として、前記電圧発生部により前記構造体及び前記陽極との間に電圧差を与えて前記重水溶液を電気分解して、前記重水素を発生させ、
前記重水素が前記重水素高濃度部から前記重水素低濃度部に向かって前記構造体を透過することにより、前記構造体において前記放射性セシウムが他の安定元素に核種変換される放射性セシウム処理システム。
【請求項３】
前記抽出装置が、常圧下において、強酸の濃度が６ｍｏｌ／Ｌ以上、かつ、９０℃以上の前記強酸に前記固体物を浸漬させる請求項１または請求項２に記載の放射性セシウム処理システム。
【請求項４】
前記抽出装置が、１６気圧以上の圧力で、強酸の濃度が０．５ｍｏｌ／Ｌ以上５．０ｍｏｌ／Ｌ以下、かつ、２００℃以上の前記強酸に前記固体物を浸漬させる請求項１または請求項２に記載の放射性セシウム処理システム。
【請求項５】
蒸発した強酸を回収して冷却し、液体となった前記強酸を前記抽出装置に供給する冷却部を更に備える請求項１または請求項２に記載の放射性セシウム処理システム。
【請求項６】
放射性セシウムが吸着している固体物から前記放射性セシウムの強酸塩の水溶液または重水溶液に調液される放射性セシウム抽出方法により抽出された前記放射性セシウムを処理する放射性セシウム処理方法であって、
放射性セシウム添加工程と、核種変換工程とを含み、
前記放射性セシウム添加工程が、
前記放射性セシウムの強酸塩の水溶液に、パラジウムまたはパラジウム合金、あるいは、パラジウム以外の水素吸蔵金属またはパラジウム合金以外の水素吸蔵合金を含む構造体が浸漬される工程と、
前記水溶液中で陽極が前記構造体に対向して配置され、前記構造体を陰極として前記構造体と前記陽極との間に電圧が付与されることにより、前記構造体の前記陽極に対向する面に前記放射性セシウムが電着により添加される電着工程と、を有し、
前記核種変換工程が、
前記構造体の前記放射性セシウムが添加された面側の重水素高圧部に重水素が供給され、前記構造体の前記放射性セシウムが添加された面と反対側の重水素低圧部が、前記重水素高圧部よりも相対的に前記重水素の圧力が低い状態にされて、前記構造体を挟んで前記重水素高圧部と前記重水素低圧部との間に前記重水素の圧力差が発生し、該圧力差により前記重水素が前記構造体を透過する透過工程と、
前記重水素が前記構造体を透過する際に、前記放射性セシウムが他の安定元素に核種変換する変換工程とを含む放射性セシウム処理方法。
【請求項７】
放射性セシウムが吸着している固体物から前記放射性セシウムの強酸塩の水溶液または重水溶液に調液される放射性セシウム抽出方法により抽出された前記放射性セシウムを処理する放射性セシウム処理方法であって、
放射性セシウム添加工程と、核種変換工程とを含み、
前記放射性セシウム添加工程が、
前記放射性セシウムの強酸塩の重水溶液に、パラジウムまたはパラジウム合金、あるいは、パラジウム以外の水素吸蔵金属またはパラジウム合金以外の水素吸蔵合金を含む構造体が浸漬される工程と、
前記水溶液中で陽極が前記構造体に対向して配置され、前記構造体を陰極として前記構造体と前記陽極との間に電圧が付与されることにより、前記構造体の前記陽極に対向する面に前記放射性セシウムが電着により添加される電着工程と、を有し、
前記核種変換工程が、
前記構造体の前記放射性セシウムが添加された面側の重水素高濃度部に、前記調液で得られた前記放射性セシウムの強酸塩の重水溶液が供給される重水溶液供給工程と、
前記重水素高濃度部の前記重水溶液内に陽極が前記構造体に対向して配置され、前記構造体を陰極として前記構造体と前記陽極との間に電圧が印加されることにより、前記重水が電気分解されて重水素が発生し、前記構造体の他方の面側の重水素低濃度部が、前記重水素高濃度部に対して相対的に前記重水素の濃度が低い状態にされることにより、前記構造体を挟んで前記重水素高濃度部と前記重水素低濃度部との間に前記重水素の濃度差が発生し、該濃度差により前記重水素が前記構造体を透過する透過工程と、
前記重水素が前記構造体を透過する際に、前記構造体の前記重水素高濃度部側の表面において前記放射性セシウムが他の安定元素に核種変換する変換工程とを含む核種変換工程を有する放射性セシウム処理方法。
【請求項８】
常圧下において、濃度が６ｍｏｌ／Ｌ以上、かつ、９０℃以上の強酸に前記固体物が浸漬されて、前記放射性セシウムが前記強酸に抽出される請求項６または請求項７に記載の放射性セシウム処理方法。
【請求項９】
１６気圧以上の圧力下において、濃度が０．５ｍｏｌ／Ｌ以上５．０ｍｏｌ／Ｌ以下、かつ、２００℃以上の強酸に前記固体物が浸漬されて、前記放射性セシウムが前記強酸に抽出される請求項６または請求項７に記載の放射性セシウム処理方法。
【請求項１０】
蒸発した強酸を回収して冷却し、液体となった前記強酸を前記抽出に供給する循環工程を更に備える請求項６または請求項７に記載の放射性セシウム処理方法。